(57)【要約】【課題】一のページに関連付けられた画像だけでなく他のページに関連付けられた画像も容易に指示することが可能になる画像表示装置、画像表示方法及びプログラムを提供することを目的とする。【解決手段】一のページを示す指示を受け付ける指示受付部１６と、指示された一のページの合成画像と複数のページにそれぞれ関連付けられた複数の画像群の一覧とを表示部１４に同時に表示させる表示制御部２２とを備える。表示制御部２２は、複数の画像群のうち二以上の画像群を一覧内で画像群ごとに区別して表示させ、且つ一のページに関連付けられた画像群を一覧内で優先して表示させる。【選択図】図１
2018045622.tif 000002
【特許請求の範囲】
【請求項１】
表示部と、
複数のページのうち一のページを示す指示を受け付ける第１の指示受付部と、
前記第１の指示受付部により指示された前記一のページの合成画像と、前記複数のページにそれぞれ関連付けられた複数の画像群の一覧とを、前記表示部に同時に表示させる表示制御部と、
を備え、
前記表示制御部は、前記複数の画像群のうち二以上の画像群を前記一覧内で画像群ごとに区別して表示させ、且つ前記一のページに関連付けられた画像群を前記一覧内で優先して表示させる、
画像表示装置。
【請求項２】
前記表示制御部は、前記一のページにページ番号で隣接するページの合成画像を、前記一のページの合成画像の隣りに表示させる、
請求項１に記載の画像表示装置。
【請求項３】
前記表示制御部は、前記第１の指示受付部により前記一のページとは異なる他のページを示す指示を受け付けた場合、前記一のページの合成画像を表示し且つ前記一のページに関連付けられた画像群を前記一覧内で優先して表示した状態から、前記他のページの合成画像を表示し且つ前記他のページに関連付けられた画像群を前記一覧内で優先して表示した状態に切り換える、
請求項１または２に記載の画像表示装置。
【請求項４】
前記表示制御部は、前記ページごとの目印を表示させ、
前記第１の指示受付部は、前記ページごとの前記目印に対する指示を受け付けることにより、前記ページを示す指示を受け付ける、
請求項１から３のうちいずれか一項に記載の画像表示装置。
【請求項５】
前記一覧に対するページ単位のスクロール指示を受け付ける第２の指示受付部を備え、
前記表示制御部は、前記第２の指示受付部により指示された前記ページ単位のスクロール指示に応じて、前記一覧内で前記画像群をページ単位にスクロールして表示させる、
請求項１から４のうちいずれか一項に記載の画像表示装置。    
【請求項６】
前記表示制御部は、前記一覧内に前記画像群をページ単位で区切る境界線を表示させる、
請求項１から５のうちいずれか一項に記載の画像表示装置。
【請求項７】
前記表示制御部は、前記一覧内で、前記複数のページのうちいずれかのページの合成画像に挿入された画像と未挿入の画像とを区別して表示させ、且つ前記一のページの前記合成画像に挿入された画像と前記一のページとは異なる他のページの合成画像に挿入された画像とを区別して表示させる、
請求項１から６のうちいずれか一項に記載の画像表示装置。
【請求項８】
前記複数の画像を画像ごとに画像解析し前記画像ごとの評価値を算出する画像評価部を備え、
前記表示制御部は、前記一覧において、前記評価値が規定範囲内である画像と前記評価値が規定範囲外である画像とを区別して表示させる、
請求項１から７のうちいずれか一項に記載の画像表示装置。
【請求項９】
前記一のページの合成画像を編集する画像編集部を備える、
請求項１から８のうちいずれか一項に記載の画像表示装置。
【請求項１０】
前記一のページの合成画像に対する画像置換指示を受け付ける第３の指示受付部を備え、
前記画像編集部は、前記第３の指示受付部により前記一のページとは異なる他のページに関連付けられた画像に置換する指示を受け付けた場合、前記一のページの合成画像に挿入された画像を外し且つ前記他のページに関連付けられた画像を前記一のページの合成画像に挿入する、
請求項９に記載の画像表示装置。
【請求項１１】
前記合成画像に対する再レイアウト指示を受け付ける第４の指示受付部を備え、
前記画像編集部は、前記第４の指示受付部により受け付けた前記再レイアウト指示に応じて、前記ページごとに前記合成画像内の画像配置を再実行する、
請求項９または１０に記載の画像表示装置。
【請求項１２】
前記画像群に対するグループ編集指示を受け付ける第５の指示受付部と、
前記第５の指示受付部により受け付けた前記グループ編集指示に応じて、前記ページごとに前記ページと前記画像群の画像との関連付けを編集するグループ編集部と、
を備える、
請求項１から１１のうちいずれか一項に記載の画像表示装置。
【請求項１３】
前記一のページの合成画像と前記一のページに関連付けられた画像群の一覧とを同時に表示した第１の編集画面と、前記一のページの合成画像と前記複数の画像群の一覧とを同時に表示した第２の編集画面とを切り換える編集画面切換指示を受け付ける第６の指示受付部を備え、
前記表示制御部は、前記編集画面切換指示に応じて、前記一のページの合成画像の表示サイズと前記一覧の表示サイズとの比を切り換える、
請求項１から１２のうちいずれか一項に記載の画像表示装置。
【請求項１４】
前記表示制御部は、前記一のページに関連付けられた画像群を前記表示部の画面内の一方向において前記一覧内の最先位置に表示させることにより、前記一のページに関連付けられた画像群を前記一覧内で優先して表示させる、
請求項１から１３のうちいずれか一項に記載の画像表示装置。
【請求項１５】
前記表示制御部は、前記画像群の表示態様及び前記画像群の背景の表示態様のうち少なくともいずれかを異ならせることにより、前記一のページに関連付けられた画像群を前記一覧内で優先して表示させる、
請求項１から１４のうちいずれか一項に記載の画像表示装置。
【請求項１６】
前記ページの単位は、見開きページ、又は片ページである、
請求項１から１５のうちいずれか一項に記載の画像表示装置。
【請求項１７】
複数のページのうち一のページを示す指示を受け付けるステップと、
前記指示された前記一のページの合成画像と、前記複数のページにそれぞれ関連付けられた複数の画像群の一覧とを、表示部に同時に表示させる表示ステップと、
を含み、
前記表示ステップは、前記複数の画像群のうち二以上の画像群を前記一覧内で画像群ごとに区別して表示させ、且つ前記一のページに関連付けられた画像群を前記一覧内で優先して表示させる画像表示方法。
【請求項１８】
複数のページのうち一のページを示す指示を受け付けるステップと、
前記指示された前記一のページの合成画像と、前記複数のページにそれぞれ関連付けられた複数の画像群の一覧とを、表示部に同時に表示させる表示ステップと、
をコンピュータに実行させ、
前記表示ステップでは、前記複数の画像群のうち二以上の画像群を前記一覧内で画像群ごとに区別して表示させ、且つ前記一のページに関連付けられた画像群を前記一覧内で優先して表示させるプログラム。
【発明の詳細な説明】
【技術分野】
【０００１】
本発明は、複数のページのうち一のページに関連付けられた画像だけでなく一のページとは異なる他のページに関連付けられた画像も容易に指示することが可能になる画像表示装置、画像表示方法及びプログラムに関する。
【背景技術】
【０００２】
従来、デジタルカメラ、スマートフォン等で撮影して得られた複数の画像を集めて、複数のページからなるデジタルコンテンツ（以下「画像集」という）が作成され、楽しまれてきた。作成された画像集は、印刷して閲覧する以外に、表示デバイスに表示させて閲覧することができる。画像集は、「アルバム」、「ブック」、「コレクション」等と呼ばれる。用途や閲覧態様に応じて、「カレンダー」、「スライドショー」等と呼ばれる場合もある。
【０００３】
画像集を作成する際に編集画面を表示させて編集作業を支援する装置が提供されてきた。
【０００４】
特許文献１には、編集画面として撮影画像の一覧と編集中の見開きページとを表示し、一覧中の撮影画像を見開きページの所望の位置にドラッグする操作を受け付けて、見開きページごとに撮影画像を割り付ける作業の支援を行うことが記載されている。更に特許文献１には、編集画面から割付変更画面（画像置換作業のための一覧表示画面である）に切り換えた場合、撮影画像の一覧表示を撮影シーン別にグループ化して行うことが記載されている。
【０００５】
特許文献２には、多数の画像からテンプレートに挿入する画像を簡易に選択できるようにするため、ページとシーンとの関係を示す情報を記憶し、且つ複数の画像をシーンごとに分類し、記憶された情報と画像の分類結果とに基づいて、編集中のページと編集中のページに対応するシーンに分類された画像群の一覧とを表示することが記載されている。更に特許文献２には、オペレータの指示により画像の分類の区切り位置を容易に変更できるようにするため、編集中のページに対応するシーンに分類された画像群とその画像群に時系列順で隣接するＮ個の画像とを同時に表示し、且つ隣接するＮ個の画像については背景部分に色を付与することにより、編集中のページに対応するシーンの画像群とは区別して強調表示することが記載されている。
【先行技術文献】
【特許文献】
【０００６】
【特許文献１】特開２０１１−７５９９５号公報
【特許文献２】特開２００５−１８４７９５号公報
【発明の概要】
【発明が解決しようとする課題】
【０００７】
しかしながら、複数のページからなる画像集の画像の入替作業（以下「画像置換作業」ともいう）を行う際に、編集中ページとは異なる他のページに関連付けられた画像を指示することは、ユーザにとって煩雑であった。
【０００８】
特許文献１に記載の構成では、撮影画像の枚数が多い場合、一覧表示専用の画面に切り換えることで置換可能な全ての画像を表示できたとしても、ユーザは編集中ページが見えなくなるために入替の趣旨を忘れてしまい、編集中ページに適合した画像を指示することが難しくなる。
【０００９】
特許文献２に記載の構成では、編集中のページに対応するシーンに自動分類された画像の一覧を編集中ページと同時に表示するため、撮影枚数が多い場合でも編集ページに対応すると判断された画像群の一覧から画像を指示することができる。しかしながら、編集中のページに対応しないと判断された画像を指示するには、分類の区切り位置を変更する操作を行うか、或いは特許文献１に記載のように一覧表示専用の画面に切り換える必要があった。
【００１０】
例えば料理とは関係なく自動分類されたが、料理をテーマとしたページを作りたい場合がある。また、複数の撮影装置で撮影したが撮影装置間で時計にズレがあった場合、つまり画像の自動分類を低精度にする外的要因があった場合には、画像の指示が煩雑になる可能性があった。
【００１１】
本発明は、複数のページのうち一のページに関連付けられた画像だけでなく一のページとは異なる他のページに関連付けられた画像も容易に指示することが可能になる画像表示装置、画像表示方法及びプログラムを提供することを目的とする。
【課題を解決するための手段】
【００１２】
上述した目的を達成するため、本発明の第１の態様に係る画像表示装置は、表示部と、複数のページのうち一のページを示す指示を受け付ける第１の指示受付部と、第１の指示受付部により指示された一のページの合成画像と、複数のページにそれぞれ関連付けられた複数の画像群の一覧とを、表示部に同時に表示させる表示制御部と、を備え、表示制御部は、複数の画像群のうち二以上の画像群を一覧内で画像群ごとに区別して表示させ、且つ一のページに関連付けられた画像群を一覧内で優先して表示させる。
【００１３】
本態様によれば、指示された一のページの合成画像と画像群の一覧とが表示部に同時に表示されるだけでなく、二以上の画像群が一覧内で画像群ごとに区別して表示され、且つ指示された一のページに関連付けられた画像群が一覧内で優先して表示されるので、複数のページのうち一のページに関連付けられた画像だけでなく一のページとは異なる他のページに関連付けられた画像も容易に指示することが可能になる。
【００１４】
本発明の第２の態様に係る画像表示装置では、表示制御部は、一のページにページ番号で隣接するページの合成画像を、一のページの合成画像の隣りに表示させる。
【００１５】
本発明の第３の態様に係る画像表示装置では、表示制御部は、第１の指示受付部により一のページとは異なる他のページを示す指示を受け付けた場合、一のページの合成画像を表示し且つ一のページに関連付けられた画像群を一覧内で優先して表示した状態から、他のページの合成画像を表示し且つ他のページに関連付けられた画像群を一覧内で優先して表示した状態に切り換える。
【００１６】
本発明の第４の態様に係る画像表示装置では、表示制御部は、ページごとの目印を表示させ、第１の指示受付部は、ページごとの目印に対する指示を受け付けることにより、ページを示す指示を受け付ける。
【００１７】
本発明の第５の態様に係る画像表示装置は、一覧に対するページ単位のスクロール指示を受け付ける第２の指示受付部を備え、表示制御部は、第２の指示受付部により指示されたページ単位のスクロール指示に応じて、一覧内で画像群をページ単位にスクロールして表示させる。
【００１８】
本発明の第６の態様に係る画像表示装置では、表示制御部は、一覧内に画像群をページ単位で区切る境界線を表示させる。
【００１９】
本発明の第７の態様に係る画像表示装置では、表示制御部は、一覧内で、複数のページのうちいずれかのページの合成画像に挿入された画像と未挿入の画像とを区別して表示させ、且つ一のページの合成画像に挿入された画像と一のページとは異なる他のページの合成画像に挿入された画像とを区別して表示させる。
【００２０】
本発明の第８の態様に係る画像表示装置は、複数の画像を画像ごとに画像解析し画像ごとの評価値を算出する画像評価部を備え、表示制御部は、一覧において、評価値が規定範囲内である画像と評価値が規定範囲外である画像とを区別して表示させる。
【００２１】
本発明の第９の態様に係る画像表示装置は、一のページの合成画像を編集する画像編集部を備える。
【００２２】
本発明の第１０の態様に係る画像表示装置は、一のページの合成画像に対する画像置換指示を受け付ける第３の指示受付部を備え、画像編集部は、第３の指示受付部により一のページとは異なる他のページに関連付けられた画像に置換する指示を受け付けた場合、一のページの合成画像に挿入された画像を外し且つ他のページに関連付けられた画像を一のページの合成画像に挿入する。
【００２３】
本発明の第１１の態様に係る画像表示装置は、合成画像に対する再レイアウト指示を受け付ける第４の指示受付部を備え、画像編集部は、第４の指示受付部により受け付けた再レイアウト指示に応じて、ページごとに合成画像内の画像配置を再実行する。
【００２４】
本発明の第１２の態様に係る画像表示装置は、画像群に対するグループ編集指示を受け付ける第５の指示受付部と、第５の指示受付部により受け付けたグループ編集指示に応じて、ページごとにページと画像群の画像との関連付けを編集するグループ編集部と、を備える。
【００２５】
本発明の第１３の態様に係る画像表示装置は、一のページの合成画像と一のページに関連付けられた画像群の一覧とを同時に表示した第１の編集画面と、一のページの合成画像と複数の画像群の一覧とを同時に表示した第２の編集画面とを切り換える編集画面切換指示を受け付ける第６の指示受付部を備え、表示制御部は、編集画面切換指示に応じて、一のページの合成画像の表示サイズと一覧の表示サイズとの比を切り換える。
【００２６】
本発明の第１４の態様に係る画像表示装置では、表示制御部は、一のページに関連付けられた画像群を表示部の画面内の一方向において一覧内の最先位置に表示させることにより、一のページに関連付けられた画像群を一覧内で優先して表示させる。
【００２７】
本発明の第１５の態様に係る画像表示装置では、表示制御部は、画像群の表示態様及び画像群の背景の表示態様のうち少なくともいずれかを異ならせることにより、一のページに関連付けられた画像群を一覧内で優先して表示させる。
【００２８】
本発明の第１６の態様に係る画像表示装置では、ページの単位は、見開きページ、又は片ページである。
【００２９】
本発明の第１７の態様に係る画像表示方法は、複数のページのうち一のページを示す指示を受け付けるステップと、指示された一のページの合成画像と、複数のページにそれぞれ関連付けられた複数の画像群の一覧とを、表示部に同時に表示させる表示ステップと、を含み、表示ステップは、複数の画像群のうち二以上の画像群を一覧内で画像群ごとに区別して表示させ、且つ一のページに関連付けられた画像群を一覧内で優先して表示させる。
【００３０】
本発明の第１８の態様に係るプログラムは、複数のページのうち一のページを示す指示を受け付けるステップと、指示された一のページの合成画像と、複数のページにそれぞれ関連付けられた複数の画像群の一覧とを、表示部に同時に表示させる表示ステップと、をコンピュータに実行させ、表示ステップは、複数の画像群のうち二以上の画像群を一覧内で画像群ごとに区別して表示させ、且つ一のページに関連付けられた画像群を一覧内で優先して表示させる。
【発明の効果】
【００３１】
複数のページのうち編集中のページに関連付けられた画像だけでなく編集中のページとは異なる他のページに関連付けられた画像も容易に指示することが可能になる。
【図面の簡単な説明】
【００３２】
【図１】図１は、本発明に係る画像表示装置が適用された画像合成装置の一例を示すブロック図である。
【図２】図２は、第１の編集画面の例を示す図である。
【図３】図３は、第２の編集画面の例を示す図である。
【図４】図４は、第３の編集画面の例を示す図である。
【図５】図５は、第４の編集画面の例を示す図である。
【図６】図６は、複数の画像の分類例の説明に用いる説明図である。
【図７】図７は、ページ単位のスクロールの説明に用いる第１の説明図である。
【図８】図８は、ページ単位のスクロールの説明に用いる第２の説明図である。
【図９】図９は、ページ単位のスクロールの説明に用いる第３の説明図である。
【図１０】図１０は、本発明の画像表示方法を適用した合成画像編集処理例の流れを示すフローチャートである。
【図１１】図１１は、画像置換の説明に用いる説明図である。
【図１２】図１２は、料理をテーマに作り変えた合成画像の例を示す図である。
【図１３】図１３は、第２の編集画面にページ指示ボタンを設けた例を示す図である。
【図１４】図１４は、ページごとの目印の例を示す図である。
【発明を実施するための形態】
【００３３】
以下、添付図面に従って、本発明に係る画像表示装置、画像表示方法及びプログラムを実施するための形態について説明する。
【００３４】
図１は、本発明に係る画像表示装置が適用された画像合成装置の一例を示すブロック図である。
【００３５】
本例の画像合成装置１０は、コンピュータ装置によって構成される。コンピュータ装置の例として、パーソナルコンピュータ、タブレット端末、スマートフォンが挙げられる。これら以外のコンピュータ装置を用いてもよい。
【００３６】
画像合成装置１０は、複数の画像を取得する画像取得部１２と、画像表示可能な表示部１４と、ユーザの指示を受け付ける指示受付部１６と、プログラム及びそのプログラムの実行に必要な情報を記憶する記憶部１８と、プログラムを実行するＣＰＵ(central processing unit)２０とを含んで構成される。
【００３７】
画像取得部１２は、デジタル信号を入力するデバイスによって構成することができる。このようなデバイスとして、例えば、無線通信又は有線通信を行う通信デバイスを用いることができる。メモリカード等の記憶媒体から画像を取得可能なデバイスを用いてもよい。
【００３８】
表示部１４は、液晶表示デバイス等の表示デバイスによって構成される。
【００３９】
指示受付部１６は、例えばタッチパネルによって構成することができる。キーボード及びマウスを用いてもよいし、他のユーザインタフェースを用いてもよい。音声入力デバイスを用いてもよい。
【００４０】
記憶部１８は、ＲＡＭ（random access memory）等の一時的記憶デバイス、及びＥＥＰＲＯＭ（electrically erasable programmable read only memory）等の非一時的記憶デバイスによって構成される。
【００４１】
ＣＰＵ２０は、表示部１４を制御する表示制御部２２と、画像取得部１２によって取得された複数の画像を画像ごとに画像解析し、画像ごとの評価値を算出する画像評価部２４と、取得された複数の画像を画像集の複数のページにそれぞれ関連付けて複数の画像群（以下「グループ」ともいう）に分類する画像分類部２６と、ページごとの合成画像を編集する画像編集部２８と、ページごとにページと画像との関連付けを編集するグループ編集部３０と、を含んで構成される。
【００４２】
表示制御部２２の制御により表示部１４に表示される編集画面の例について説明する。
【００４３】
図２は、第１の編集画面ＥＳ１を示す図である。第１の編集画面ＥＳ１には、作成するアルバム（画像集の一例である）の複数のページのうち編集中の１ページ（以下「編集中ページ」という）の合成画像５０を表示させる第１の合成画像表示領域Ａ１１と、編集中ページに関連付けられた画像群（以下「編集中ページ画像群」という）の一覧を表示する第１の一覧表示領域Ａ１２と、編集中ページに関する情報を表示するページ情報表示領域Ａ１３とが、設けられている。
【００４４】
尚、「ページ」の単位は、見開きページ、及び片ページのいずれでもよい。混在させた場合でもよい。
【００４５】
合成画像は、ページ単位の画像であり、一般に、背面画像であるテンプレート画像に、前面画像として画像取得部１２により取得された画像を配置することにより、生成される。テンプレート画像が白紙状である場合を含む。テンプレート画像を用いず、画像取得部１２により取得された複数の画像を合成し、合成画像としてもよい。
【００４６】
第１の編集画面ＥＳ１には、ページを示す指示を受け付けるページ指示ボタンＢ１（第１の指示受付部）、一覧内のスクロール指示を受け付けるスクロール指示ボタンＢ２１、Ｂ２２、画像の置換（入替）を指示するボタンＢ３１、編集画面切換指示を受け付ける第１の編集画面切換指示ボタンＢ６１、及び編集終了指示を受け付ける編集終了指示ボタンＢ９が設けられている。また、第１の編集画面ＥＳ１には、一覧画面指示ボタンＢ１０１、編集画面指示ボタンＢ１０２、拡大指示ボタンＢ１０３、日付表示指示ボタンＢ１１１、レイアウト変更指示ボタンＢ１１２、背景色変更指示ボタンＢ１１３、色補正指示ボタンＢ１１４、コメント入力指示ボタンＢ１１５、スタンプ追加指示ボタンＢ１１６、最初の状態に戻る指示を受け付ける第１の戻り指示ボタンＢ１２１、ひとつ前の状態に戻る指示を受け付ける第２の戻り指示ボタンＢ１２２、及び一時保存指示ボタンＢ１２３が設けられている。尚、第１の編集画面ＥＳ１では、編集画面指示ボタンＢ１０２は、無効、或いは第１の編集画面ＥＳ１の再表示とする。
【００４７】
図３は、第２の編集画面ＥＳ２を示す図である。第２の編集画面ＥＳ２には、編集中ページの合成画像５０と編集中ページにページ番号で隣接するページ（以下「隣接ページ」という）の合成画像５２、５４とを表示させる第２の合成画像表示領域Ａ２１と、複数のページにそれぞれ関連付けられた複数の画像群の一覧を表示する第２の一覧表示領域Ａ２２とが、設けられている。本例の表示制御部２２は、スクロール指示ボタンＢ２１、Ｂ２２、Ｂ２３、Ｂ２４、Ｂ２５の操作に従って、全ページの画像群を視認可能に表示させる。
【００４８】
第２の編集画面ＥＳ２には、スクロール指示ボタンとして、一覧内の行単位のスクロール指示を受け付ける行単位スクロール指示ボタンＢ２１、Ｂ２２、一覧内のページ単位のスクロール指示を受け付けるページ単位スクロール指示ボタンＢ２３、Ｂ２４（第２の指示受付部）、微小スクロール指示を受け付ける微小スクロール指示ボタンＢ２５が設けられている。
【００４９】
また、第２の編集画面ＥＳ２には、編集画面切換指示を受け付ける第２の編集画面切換指示ボタンＢ６２、Ｂ６３、一覧画面指示ボタンＢ１０１、編集画面指示ボタンＢ１０２、拡大指示ボタンＢ１０３、日付表示指示ボタンＢ１１１、お勧め画像のみ一覧表示する指示を受け付けるお勧め画像一覧表示指示ボタンＢ１３１、主被写体（本例では主人公）を含む画像のみ一覧表示する指示を受け付ける主人公画像一覧表示指示ボタンＢ１３２、画像追加指示ボタンＢ１３３、分類済画像一覧表示指示ボタンＢ１４１、未分類画像一覧表示指示ボタンＢ１４２、及び追加画像一覧表示指示ボタンＢ１４３が設けられている。尚、編集画面指示ボタンＢ１０２及び分類済画像一覧表示指示ボタンＢ１４１は、無効、或いは第２の編集画面ＥＳ２の再表示とする。
【００５０】
図２の第１の編集画面ＥＳ１において第１の編集画面切換指示ボタンＢ６１が操作された場合に図３の第２の編集画面ＥＳ２に切り換わり、第２の編集画面ＥＳ２において第２の編集画面切換指示ボタンＢ６２又はＢ６３が操作された場合に第１の編集画面ＥＳ１に切り換わる。つまり本例では、第１の編集画面切換指示ボタンＢ６１及び第２の編集画面切換指示ボタンＢ６２、Ｂ６３によって、第１の編集画面ＥＳ１と第２の編集画面ＥＳ２とを切り換える編集画面切換指示を受け付ける指示受付部（第６の指示受付部）が構成されている。表示制御部２２は、編集画面切換指示に応じて編集中ページの合成画像の表示サイズと画像群の一覧の表示サイズとの比を切り換える。
【００５１】
第１の編集画面ＥＳ１では、第１の合成画像表示領域Ａ１１の面積が表示部１４の画面の面積の５０％を超えており、且つ第１の一覧表示領域Ａ１２の面積が表示部１４の画面の面積の５０％未満である。第２の編集画面ＥＳ２では、第２の合成画像表示領域Ａ２１の面積が表示部１４の画面の面積の５０％未満であり、且つ第２の一覧表示領域Ａ２２の面積が表示部１４の画面の面積の５０％を超えている。
【００５２】
つまり、第１の編集画面ＥＳ１から第２の編集画面ＥＳ２に切り換えられた場合には合成画像の表示サイズが小さくなり且つ一覧の表示サイズが大きくなり、第２の編集画面ＥＳ２から第１の編集画面ＥＳ１に切り換えられた場合には合成画像の表示サイズが大きくなり且つ一覧の表示サイズが小さくなる。
【００５３】
図４は、第３の編集画面ＥＳ３を示す図である。第３の編集画面ＥＳ３は、図３に示した第２の編集画面ＥＳ２又は図５に示す後述の第４の編集画面ＥＳ４において、未分類画像一覧表示指示ボタンＢ１４２が操作された場合（即ち未分類画像一覧表示指示を受け付けた場合）、表示される。第３の編集画面ＥＳ３には、編集中ページの合成画像５０と隣接ページの合成画像５２、５４とを表示させる第３の合成画像表示領域Ａ３１と、未分類画像の一覧を表示させる第３の一覧表示領域Ａ３２とが、設けられている。第３の編集画面ＥＳ３には、第２の編集画面ＥＳ２と同様、スクロール指示ボタンＢ２１、Ｂ２２、Ｂ２５、第２の編集画面切換指示ボタンＢ６２、Ｂ６３，一覧画面指示ボタンＢ１０１、編集画面指示ボタンＢ１０２、拡大指示ボタンＢ１０３、日付表示指示ボタンＢ１１１、画像追加指示ボタンＢ１３３、分類済画像一覧表示指示ボタンＢ１４１、未分類画像一覧表示指示ボタンＢ１４２、及び追加画像一覧表示指示ボタンＢ１４３が設けられている。尚、編集画面指示ボタンＢ１０２及び未分類画像一覧表示指示ボタンＢ１４２は、無効、或いは第３の編集画面ＥＳ３の再表示とする。
【００５４】
図５は、第４の編集画面ＥＳ４を示す図である。第４の編集画面ＥＳ４は、図３に示した第２の編集画面ＥＳ２又は図４に示した第３の編集画面ＥＳ３において、追加画像一覧表示指示ボタンＢ１４３が操作された場合（即ち追加画像一覧表示指示を受け付けた場合）、表示される。第４の編集画面ＥＳ４には、編集中ページの合成画像５０と隣接ページの合成画像５２、５４とを表示させる第４の合成画像表示領域Ａ４１と、追加画像の一覧を表示させる第４の一覧表示領域Ａ４２とが、設けられている。第４の編集画面ＥＳ４には、第３の編集画面ＥＳ３と同様のボタンＢ２１、Ｂ２２、Ｂ２５、Ｂ６２、Ｂ６３、Ｂ１０１〜Ｂ１０３、Ｂ１１１、Ｂ１３３、Ｂ１４１〜Ｂ１４３が設けられている。尚、編集画面指示ボタンＢ１０２及び追加画像一覧表示指示ボタンＢ１４３は、無効、或いは第４の編集画面ＥＳ４の再表示とする。
【００５５】
編集画面（第１の編集画面ＥＳ１、第２の編集画面ＥＳ２、第３の編集画面ＥＳ３、第４の編集画面ＥＳ４）における表示制御部２２の主な表示制御について、説明する。
【００５６】
まず第１の編集画面ＥＳ１での主な表示制御について、説明する。
【００５７】
表示制御部２２は、ページ指示ボタンＢ１（第１の指示受付部）の操作に応じてページを切り換えて、合成画像５０を表示させる。また、表示制御部２２は、スクロール指示ボタンＢ２１〜Ｂ２５の操作に応じて、編集中ページに関連付けられた全ての画像（編集中ページ画像群）を視認可能に表示させる。
【００５８】
第１に、表示制御部２２は、編集中ページに関連付けられた画像群（編集中ページ画像群）を、第１の一覧表示領域Ａ１２内に、表示させる。
【００５９】
第２に、表示制御部２２は、第１の一覧表示領域Ａ１２内で、編集中ページの合成画像に挿入された画像と未挿入の画像とを区別して表示させる。本例では、挿入済の画像に、チェックマークＭＣを付して表示させている。
【００６０】
第３に、表示制御部２２は、第１の一覧表示領域Ａ１２内で、評価値が規定範囲内である画像と、評価値が規定範囲外である画像とを区別して表示させる。本例では、評価値が規定範囲内である画像に、星形状のお勧めマークＭＲを付して、表示させている。
【００６１】
次に第２の編集画面ＥＳ２での主な表示制御について、説明する。
【００６２】
第１に、表示制御部２２は、複数の画像群（複数ページの画像群）を、第２の一覧表示領域Ａ２２内で、画像群ごとに区別して表示させる。本例の表示制御部２２は、第２の一覧表示領域Ａ２２内に、画像群をページ単位で区切る境界線ＤＬ（「ページ区切り」）を表示させる。
【００６３】
尚、本例において、「複数の画像群」(複数ページの画像群)の一覧表示とは、「二以上の画像群」について各画像群の全ての画像を縮小表示させることである。ここで「二以上の画像群」は、画像集の全ページに関連付けられた画像群でなくてもよいが、画像集の少なくとも二ページに関連付けられた画像群である。またスクロール操作に応じて「二以上の画像群」を表示させればよく、画像数が多い場合には同時に「二以上の画像群」を表示させなくてもよい。ただし画像群の一覧と編集中ページの合成画像とは同時に表示される。
【００６４】
第２に、表示制御部２２は、編集中ページに関連付けられた画像群を、第２の一覧表示領域Ａ２２内で、優先して表示させる。本例の表示制御部２２は、複数の画像群のうち編集中ページに関連付けられた画像群を一覧内の最も上の位置に配置する。つまり本例の表示制御部２２は、編集中ページに関連付けられた画像群を、表示部１４の画面内の一方向において一覧内の最先位置に表示させる。画像群の表示態様及び画像群の背景の表示態様のうち少なくともいずれかを異ならせることにより、編集中ページに関連付けられた画像群を一覧内で優先して表示させてもよい。
【００６５】
尚、表示の「優先」とは、本明細書において、表示位置、強調表示などにより、他よりも視認性を高くして表示することをいう。
【００６６】
第３に、表示制御部２２は、ページ単位スクロール指示ボタンＢ２３、Ｂ２４（第２の指示受付部）が操作された場合、つまりページ単位のスクロール指示が受け付けられた場合、第２の一覧表示領域Ａ２２内で画像群をページ単位にスクロールして表示させる。
【００６７】
ページ単位スクロールについて、図面を用いて説明する。図６に示すように、複数の画像ＩＭＧが画像分類部２６によってページ単位（本例では見開きページ単位）で６つのグループＧ１、Ｇ２、Ｇ３、Ｇ４、Ｇ５、Ｇ６に分類されたとする。また、編集中ページが第１グループＧ１に対応するページであるとする。そうすると、第２の編集画面ＥＳ２において、図７に示すように第１グループＧ１の画像群が第２の一覧表示領域Ａ２２内で最上位置(最先位置)に表示される。図７に示した状態で下向きのページ単位スクロール指示ボタンＢ２３が操作された場合、図８に示すように第２グループＧ２の画像群が第２の一覧表示領域Ａ２２内で最上位置に表示される。図８に示した状態で下向きのページ単位スクロール指示ボタンＢ２３が操作された場合、図９に示すように第３グループＧ３の画像群が第２の一覧表示領域Ａ２２内で最上位置に表示される。
【００６８】
また、図９に示した状態で上向きのページ単位スクロール指示ボタンＢ２４が操作された場合、図８に示したように第２グループＧ２の画像群が第２の一覧表示領域Ａ２２内で最上位置に表示される。図８に示した状態で上向きのページ単位スクロール指示ボタンＢ２４が操作された場合、図７に示したように第２グループＧ２の画像群が第２の一覧表示領域Ａ２２内で最上位置に表示される。
【００６９】
なお、本例においては、第１グループＧ１から第６グループＧ６までを、複数の画像ＩＭＧのそれぞれに付された撮影日時情報に基づいて分類している。撮影日時情報が付されていない画像ＩＭＧは、第１グループＧ１から第６グループＧ６までには分類されず、未分類画像一覧表示指示ボタンＢ１４２が操作されたときにのみ表示される。第１グループＧ１から第６グループＧ６までを全てのグループとして、それらに対応するページを設けている。すなわち、全てのグループに対応するページを設けている。ページ単位スクロール指示ボタンＢ２３、Ｂ２４を、一回操作することによりグループ単位でスクロールさせることができ、複数回操作することにより全てのグループに対応して一覧表示させることができる。しかしながら、そのようにすることは必須ではなく、存在するグループのうち二以上のグループに対応して一覧表示させればよい。
【００７０】
例えば、撮影日時情報が付されていない画像も、不図示の別グループ（以下「未分類グループＧ９９」という）に分類することとするが、未分類グループＧ９９に対応するページは設けないこととしてもよい。一方、未分類グループＧ９９に対応するページも設けて、複数の画像ＩＭＧ全てに対応するページを設けることとしてもよい。
【００７１】
第４に、表示制御部２２は、第２の一覧表示領域Ａ２２内で、複数のページのうちいずれかのページの合成画像に挿入された画像と未挿入の画像とを区別して表示させ、且つ編集中ページの合成画像に挿入された画像と、編集中ページとは異なる他のページの合成画像に挿入された画像とを区別して表示させる。
【００７２】
第５に、表示制御部２２は、第２の一覧表示領域Ａ２２内において、画像評価部２４により得られた評価値が規定範囲内である画像と、評価値が規定範囲外である画像とを区別して表示させる。
【００７３】
第６に、表示制御部２２は、編集中ページとは異なる他のページを示す指示が受け付けられた場合、第２の合成画像表示領域Ａ２１に編集中ページの合成画像を表示し、且つ編集中ページに関連付けられた画像群を第２の一覧表示領域Ａ２２内で優先して表示した状態から、第２の合成画像表示領域Ａ２１に他のページの合成画像を新たな編集中ページとして表示し、且つ他のページに関連付けられた画像群を第２の一覧表示領域Ａ２２内で優先して表示した状態に、切り換える。尚、図３の第２の編集画面ＥＳ２には図２に示したページ指示ボタンＢ１が省略されているが、第２の編集画面ＥＳ２にページ指示ボタンＢ１を設けた例は後述する（図１３を参照）。
【００７４】
第７に、表示制御部２２は、編集中ページにページ番号で隣接するページ（以下「隣接ページ」という）の合成画像を、編集中の合成画像の隣りに表示させる。
【００７５】
次に画像編集部２８による画像置換例について、説明する。
【００７６】
第１の編集画面ＥＳ１又は第２の編集画面ＥＳ２が表示された状態で、ユーザは、編集中ページの合成画像に挿入された画像と、編集中ページに関連付けられた他の画像とを、置換させる指示を入力できる。そのような指示が受け付けられた場合、画像編集部２８は、編集中ページの合成画像に挿入された画像をその合成画像から外し、且つ編集中ページに関連付けられた他の画像を編集中ページの合成画像に挿入する。
【００７７】
また、第２の編集画面ＥＳ２が表示された状態で、ユーザは、編集中ページの合成画像に挿入された画像と、編集中ページとは異なる他のページに関連付けられた画像とを、置換させる指示を入力できる。そのような画像置換指示が受け付けられた場合、画像編集部２８は、編集中ページの合成画像に挿入された画像を合成画像から外し、且つ他のページに関連付けられた画像を編集中ページの合成画像に挿入する。
【００７８】
画像置換のためのユーザからの指示（画像置換指示）は、例えばタッチパネル上のボタン（第３の指示受付部）により、受け付けることができる。
【００７９】
次に、本発明の画像表示方法を適用した合成画像編集処理例について説明する。
【００８０】
図１０は、本発明の画像表示方法を適用した合成画像編集処理例の流れの概略を示すフローチャートである。本処理は、記憶部１８に記憶されたプログラムに従い、ＣＰＵ２０により実行される。
【００８１】
まず、画像取得部１２により、複数の画像が取得される（ステップＳ２）。
【００８２】
次に、画像評価部２４により、取得された複数の画像が画像ごとに画像解析され、画像ごとの評価値が算出される（ステップＳ４）。評価値は、ユーザにとって価値がある画像であるか否かを判定するための指標となる値である。画像の画質（例えば、ボケ、ブレの程度）を評価値として算出する。或いは画像に写っているオブジェクトの属性（例えば、大きさ、位置、向き、色等）を評価値として算出する。オブジェクトが人物であれば、その人物の表情を示す評価値（例えば笑顔の程度を示す値）を算出してもよい。画像の画質及びオブジェクトの属性の両方に応じた総合評価値を算出してもよい。
【００８３】
次に、画像分類部２６により、取得された複数の画像が、複数のページにそれぞれ対応する複数の画像群（以下「グループ」ともいう）に、分類される（ステップＳ６）。例えば、画像に付加された画像の属性情報（例えば、撮影日時情報、撮影場所情報）に基づいて、画像分類を行う。画像内のオブジェクトを検出し、そのオブジェクトの属性に基づいて、画像分類を行ってもよい。画像の属性情報及びオブジェクトの検出結果の両方に基づいて、画像分類を行ってもよい。
【００８４】
次に、画像編集部２８により、グループごとに、算出された評価値に基づいて、合成画像に用いる画像（合成対象画像）が選択される（ステップＳ８）。
【００８５】
次に、画像編集部２８により、グループごとに、合成対象の画像がページ単位のテンプレート画像に配置され、ページごとの合成画像が作成される（ステップＳ１０）。
【００８６】
次に、表示制御部２２により、表示部１４に、合成画像及び画像一覧を含む編集画面が表示される（ステップＳ１２）。
【００８７】
本例の表示制御部２２は、複数のページのうち一のページ（例えば先頭ページ）を初期の編集中ページとし、その編集中ページの合成画像と編集中ページに関連付けられた画像群（編集中ページ画像群）の一覧とを、図２に示した第１の編集画面ＥＳ１として表示させる。
【００８８】
次に、指示受付部１６によりユーザの指示が受け付けられ（ステップＳ１４）、受け付けられたユーザの指示に従って表示制御及び合成画像編集が行われる（ステップＳ１６）。ステップＳ１６は、「表示ステップ」を構成する。
【００８９】
第１の編集画面ＥＳ１において、ページ指示ボタンＢ１が操作された場合、つまり編集中ページとは異なる他のページを示す指示を受け付けた場合には、指示された他のページを新しい編集中ページとして、その他のページの合成画像と他のページに関連付けられた画像群の一覧とが、第１の編集画面ＥＳ１に表示される。
【００９０】
第１の編集画面ＥＳ１において、編集画面切換指示ボタンＢ６１が操作された場合、つまり編集画面切換指示を受け付けた場合には、図３に示した第２の編集画面ＥＳ２に切り換わる。
【００９１】
第２の編集画面ＥＳ２において、編集画面切換指示ボタンＢ６２が操作された場合、つまり編集画面切換指示を受け付けた場合には、第１の編集画面ＥＳ１に戻る。
【００９２】
編集画面ＥＳ１〜ＥＳ４において、編集中ページの合成画像５０に挿入された画像と一覧表示領域Ａ１２、Ａ２２、Ａ３２、Ａ４２中の画像とを置換する操作を行うことができる。
【００９３】
例えば図３の第２の編集画面ＥＳ２において、第２の一覧表示領域Ａ２２から入替画像（置換対象画像）を指示することができる。例えば図３に示した第２の一覧表示領域Ａ２２の符号５６の画像（車の画像である）を図２及び図３に示した合成画像５０から外す場合、その符号５６の画像が「外す」画像として指示される。図１１は、符号５６の画像を外す指示が受け付けられた状態を示す。表示制御部２２は、符号５６の画像を拡大し、外す画像として受け付けたことを示す。ユーザは、符号５６の画像の代わりに合成画像５０に対して挿入する画像を指示する。星形状のお勧めマークＭＲが付された画像は、評価値が規定範囲内であるお勧め画像であり、お勧め画像一覧表示指示ボタンＢ１３１が操作されると、第２の一覧表示領域Ａ２２に、お勧め画像のみが表示される。また、主人公画像一覧表示指示ボタンＢ１３２が操作されると、第２の一覧表示領域Ａ２２に、主人公として検出された人物を含む画像のみが表示される。また、ページ単位スクロール指示ボタンＢ２３、Ｂ２４が操作されると、ページ単位でスクロールが実行される。少しずつスクロールさせたい場合には、スクロール指示ボタンＢ２１、Ｂ２２，Ｂ２５を用いる。符号Ｂ２５は微小スクロールを指示するボタンである。
【００９４】
ユーザは第２の一覧表示領域Ａ２２において、合成画像５０に挿入する画像を指示することができる。尚、別ページで使用中の画像には符号ＭＯのマークが付されている。符号を付す代わりに、画像の視認性を他の画像よりも低くして表示（例えばグレーアウト）してもよい。未分類の画像に入れ替えたい場合には、未分類画像一覧表示指示ボタンＢ１４２を操作して、第３の編集画面ＥＳ３にて置換作業を行うことができる。追加した画像に入れ替えたい場合には、追加画像一覧表示指示ボタンＢ１４３を操作して、第４の編集画面ＥＳ４にて置換作業を行うことができる。合成画像５０から複数の画像を同時に外すこと、及び合成画像５０に複数の画像を同時に挿入することが可能であり、本例では複数の画像を指示した後に符号Ｂ６２のボタンを操作すると、画像置換が行われ且つ第１の編集画面ＥＳ１に切り換わる。本例では画像置換の画像数に関係なく、符号Ｂ６２のボタンを操作することで、画像置換実行と編集画面切換とが行われる。従って、直ぐに第１の編集画面ＥＳ１の第１の合成画像表示領域Ａ１１で、画像置換後の合成画像を確認することができる。
【００９５】
第１の編集画面ＥＳ１において、編集終了指示ボタンＢ９が操作された場合、つまり編集終了指示が受け付けられた場合（ステップＳ１８でＹＥＳの場合）、本処理を終了する。編集終了指示ボタンＢ９が未操作である場合（ステップＳ１８でＮＯの場合）、ステップＳ１４に戻る。ユーザは編集終了指示ボタンＢ９を操作するまでの間、各種の編集画面ＥＳ１、ＥＳ２、ＥＳ３、ＥＳ４を使い分けて、自在に合成画像５０の編集作業を行うことができる。
【００９６】
＜ページを跨ぐ画像置換の意義＞
本実施形態の画像合成装置１０によれば第２の編集画面ＥＳ２を用いることにより、ページを跨ぐ画像置換（画像入替）を容易に行うことができる。このページを跨ぐ画像置換の意義について説明する。
【００９７】
図１０のフローチャートを用いて説明したように、本実施形態の画像合成装置１０は、画像取得（ステップＳ２）の後、画像評価（ステップＳ４）、画像分類（ステップＳ６）、画像選択（ステップＳ８）、及び合成画像作成（ステップＳ１０）を自動で行うことができる。従って、ユーザは複数の画像を入力するだけで、画像合成装置１０の自動処理に任せて画像集を得ることが可能である。
【００９８】
例えば旅行中に撮影して得られた複数の画像から、図２に示した一のページの合成画像５０が自動処理（ステップＳ４〜Ｓ１０）で作成されたとする。この合成画像５０は、料理、建物、風景、花、人物、車、船等の多様なオブジェクトを含んでいる。他のページの合成画像も同様に自動処理で作成される。このような自動処理で作成された合成画像で十分とユーザが考える場合がある一方で、自分の好みに合った合成画像にアレンジしたいとユーザが考える場合がある。例えば旅行の中で特に料理をテーマにして合成画像を作りかえたいとユーザが考えたとする。このような場合、ユーザは、第１の編集画面ＥＳ１での編集と、第２の編集画面ＥＳ２とを使い分けることにより、効率良く合成画像を作りかえることが可能である。図１２は、図２に示した一のページの合成画像５０からユーザがアレンジした合成画像８０を示す。図１２において、符号８１、８２、８４、８５の画像は置換されなかった画像であり、符号８６、８７、８８の画像は第１の編集画面ＥＳ１で置換された料理に関する画像（自動処理で一のページに関連付けられた料理画像）であり、符号８３、８９、９０の画像は第２の編集画面ＥＳ２で置換された料理に関する画像（自動処理で他のページに関連付けられた料理画像）である。符号８３の画像は、図３に不図示の画像であり、スクロール操作により、第２の一覧表示領域Ａ２２内で視認された画像である。第２の編集画面ＥＳ２において、分類済である全ての置換対象画像８３、８６〜９０を指示することも可能である。
【００９９】
第１の編集画面ＥＳ１では、一のページの合成画像５０とその一のページに関連付けられた画像群のみの一覧とを同一画面上で見ながら、入替画像（置換対象画像）を決定する。自動処理で編集中のページに画像群が関連付けられているので、編集中のページに関連付けられた画像群のみを参照しても、好みの画像に置換できる確率が一般に高いといえる。第２の編集画面ＥＳ２では、一のページの合成画像５０と画像群ごと（即ちページごと）に区別して表示された複数の画像群の一覧とを同一画面上で見ながら、入替画像（置換対象画像）を決定する。図６〜図９を用いて説明したように、ページ単位のスクロール操作を行うことで、更に効率良く、置換作業を進めることができる。つまり、ページを跨ぐ画像置換を行いたい場合でも、容易に入替画像を決定することが可能である。
【０１００】
以上のように自動処理で多様なオブジェクトを含む合成画像５０が作成された後、ユーザが好みのオブジェクトに関連するテーマで合成画像を作りかえたいと考えた場合でも、本実施形態の画像合成装置１０によれば第２の編集画面ＥＳ２を介した画像置換作業が容易であるため、合成画像のアレンジも容易であることが分かる。
【０１０１】
尚、合成画像に対する画像置換は、複数ページの全ての合成画像に対して行う必要はなく、必要な一のページの合成画像に対してのみ行う場合であってもよい。
【０１０２】
＜バリエーション＞
各種のバリエーションについて、説明する。
【０１０３】
≪ページ指示受付≫
ページを示す指示（ページ指示）の受け付け態様には、各種のバリエーションがある。
【０１０４】
図３、図４、図５ではページ指示ボタンを省略したが、第１の編集画面ＥＳ１だけでなく、第２の編集画面ＥＳ２等にも設けてよい。図１３は、第２の編集画面ＥＳ２にページ指示ボタンＢ１を設けた例を示す。また、第２の編集画面ＥＳ２にて隣接ページの合成画像５２、５４が指示された場合、その隣接ページが新たな編集中ページとして指示されたものとしてもよい。
【０１０５】
「前ページ」及び「次ページ」の指示を受け付けるページ指示ボタンＢ１を第１の編集画面ＥＳ１に設けた場合を例に説明したが、本発明はこのような場合に限定されない。ページ番号を受け付けてもよい。
【０１０６】
図１４に示すように、ページごとの目印ＭＰ１〜ＭＰ６を表示し、そのページごとの目印に対する指示を受け付けることにより、ページを示す指示を受け付けてもよい。本例では、画像集の複数のページのうち第１ページから第６ページまでのページごとの目印ＭＰ１、ＭＰ２、ＭＰ３，ＭＰ４，ＭＰ５、ＭＰ６を、各種のスクロール指示ボタンＢ２１、Ｂ２２、Ｂ２３、Ｂ２４、Ｂ２５が設けられたバーＢＲに配置してある。尚、目印は、アイコン、記号、或いは文字により構成してよい。
【０１０７】
第２の編集画面ＥＳ２において、目印ＭＰ１〜ＭＰ６が操作された場合、指示されたページに関連付けられた画像群が第２の一覧表示領域Ａ２２内の最先位置（本例では最上位置）に表示される。
【０１０８】
≪再レイアウト≫
画像編集部２８のレイアウト処理として、自動でレイアウト処理を開始する場合を説明したが、更にユーザの指示に従ってレイアウト処理を開始してもよい。
【０１０９】
例えば図２に示した第１の編集画面ＥＳ１及び図３に示した第２の編集画面ＥＳ２に再レイアウト指示を受け付ける再レイアウト開始ボタン（第４の指示受付部）を設ける。画像編集部２８は、再レイアウト開始ボタンにより受け付けた再レイアウト指示に応じて、ページごとに、合成画像内の画像配置（レイアウト）を再実行する。
【０１１０】
≪手動グループ編集≫
グループ編集部３０のグループ編集として、自動のグループ編集を説明したが、ユーザの指示に従ってページと画像との関連付けを行うこと（手動グループ編集）が可能である。つまりグループ編集部３０は、ユーザから受け付けたグループ編集指示に応じて、ページごとにページと画像との関連付けを編集する。グループ編集のためのユーザからの指示（グループ編集指示）は、例えば、タッチパネル上のボタン（第５の指示受付部）により、受け付けることができる。
【０１１１】
以上、本発明を実施するための形態に関して説明してきたが、本発明は上述した実施形態及び変形例に限定されず、本発明の主旨を逸脱しない範囲で種々の変形が可能である。
【符号の説明】
【０１１２】
１０  画像合成装置
１２  画像取得部
１４  表示部
１６  指示受付部
１８  記憶部
２０  ＣＰＵ
２２  表示制御部
２４  画像評価部
２６  画像分類部
２８  画像編集部
３０  グループ編集部
５０、５２、５４、８０  合成画像
Ａ１１  第１の合成画像表示領域
Ａ１２  第１の一覧表示領域
Ａ１３  ページ情報表示領域
Ａ２１  第２の合成画像表示領域
Ａ２２  第２の一覧表示領域
Ａ３１  第３の合成画像表示領域
Ａ３２  第３の一覧表示領域
Ａ４１  第４の合成画像表示領域
Ａ４２  第４の一覧表示領域
Ｂ１  ページ指示ボタン
Ｂ１０１  一覧画面指示ボタン
Ｂ１０２  編集画面指示ボタン
Ｂ１０３  拡大指示ボタン
Ｂ１１１  日付表示指示ボタン
Ｂ１１２  レイアウト変更指示ボタン
Ｂ１１３  背景色変更指示ボタン
Ｂ１１４  色補正指示ボタン
Ｂ１１５  コメント入力指示ボタン
Ｂ１１６  スタンプ追加指示ボタン
Ｂ１２１  第１の戻り指示ボタン
Ｂ１２２  第２の戻り指示ボタン
Ｂ１２３  一時保存指示ボタン
Ｂ１３１  画像一覧表示指示ボタン
Ｂ１３２  主人公画像一覧表示指示ボタン
Ｂ１３３  画像追加指示ボタン
Ｂ１４１  分類済画像一覧表示指示ボタン
Ｂ１４２  未分類画像一覧表示指示ボタン
Ｂ１４３  追加画像一覧表示指示ボタン
Ｂ２１、Ｂ２２  行単位スクロール指示ボタン
Ｂ２３、Ｂ２４  ページ単位スクロール指示ボタン
Ｂ２５  微小スクロール指示ボタン
Ｂ６１  第１の編集画面切換指示ボタン
Ｂ６２、Ｂ６３  第２の編集画面切換指示ボタン
Ｂ９  編集終了指示ボタン
ＢＲ  バー
ＤＬ  境界線
ＥＳ１  第１の編集画面
ＥＳ２  第２の編集画面
ＥＳ３  第３の編集画面
ＥＳ４  第４の編集画面
Ｇ１、Ｇ２、Ｇ３、Ｇ４、Ｇ５、Ｇ６  グループ
ＩＭＧ  画像
ＭＣ  チェックマーク
ＭＯ  別ページで使用中の画像を示すマーク
ＭＰ１、ＭＰ２、ＭＰ３、ＭＰ４、ＭＰ５、ＭＰ６  目印
ＭＲ  お勧めマーク
【図１】
2018045622.tif 000003
【図２】
2018045622.tif 000004
【図３】
2018045622.tif 000005
【図４】
2018045622.tif 000006
【図５】
2018045622.tif 000007
【図６】
2018045622.tif 000008
【図７】
2018045622.tif 000009
【図８】
2018045622.tif 000010
【図９】
2018045622.tif 000011
【図１０】
2018045622.tif 000012
【図１１】
2018045622.tif 000013
【図１２】
2018045622.tif 000014
【図１３】
2018045622.tif 000015
【図１４】
2018045622.tif 000016